【手続補正書】
【提出日】平成15年6月13日(2003.6.13)
【手続補正１】
【補正対象書類名】明細書
【補正対象項目名】発明の名称
【補正方法】変更
【補正の内容】
【発明の名称】デジタル放送受信装置およびデジタル放送受信方法
【手続補正２】
【補正対象書類名】明細書
【補正対象項目名】特許請求の範囲
【補正方法】変更
【補正の内容】
【特許請求の範囲】
【請求項１】
入力される直交変調信号の利得を調整する可変利得手段と，前記可変利得手段の出力する直交変調信号を直交復調し，２つの搬送波それぞれで変調されていた信号をそれぞれ復調したＩ信号，Ｑ信号として出力する直交復調手段と、を備えてなるデジタル放送受信装置であって、
前記直交復調手段の出力するＩ信号とＱ信号から前記可変利得手段を制御する信号レベルを検出する信号レベル検出手段と、
前記直交復調手段の出力する前記Ｉ信号とＱ信号に含まれる，伝送路で加えられた歪みを除去する波形等化手段の制御情報から前記波形等化手段への入力信号の状態を評価する波形等化評価手段と、
前記直交復調手段の出力する前記Ｉ信号とＱ信号から信号点の分布状態を評価するコンスタレーション評価手段と，
前記直交復調手段の出力をデジタルデータとして識別し、識別前と識別後の信号の差から信号対雑音比を評価するＳ／Ｎ評価手段と、
前記直交復調手段の出力するデータに誤り訂正処理において誤り率を求める誤り率評価手段と、
のうち、いずれか複数の手段を備え、
該いずれか複数の手段の出力信号を用いて入力される信号の状態を評価する入力状態評価手段と、
前記入力状態評価手段における入力信号の評価を出力する出力手段と、
を備えてなることを特徴とするデジタル放送受信装置。
【請求項２】
請求項１に記載のデジタル放送受信装置において，前記波形等化評価手段は，波形等化手段の制御情報の内，主信号の利得を表わすメインタップのタップ係数を評価するメインタップ評価手段と，メインタップを除くタップのタップ係数の総和を求めるメインタップを除くタップ係数総和演算手段と，前記メインタップを除くタップ係数総和演算手段の演算結果とメインタップのタップ係数を加算して，全タップのタップ係数の合計を求める加算手段と，前記加算手段の演算結果を評価する第１の判定手段と，前記メインタップを除くタップ係数総和演算手段の演算結果を評価する第２の判定手段と，前記メインタップ評価手段の評価結果と，前記第１の判定手段の評価結果と，前記第２の判定手段の評価結果から，前記波形等化手段への入力信号の状態を評価する状態判定手段を備えることを特徴とするデジタル放送受信装置。
【請求項３】
請求項１に記載のデジタル放送受信装置において，前記コンスタレーション評価手段は，信号を連続して記憶する記憶手段と，デジタル放送受信装置に信号が入力されていない時に，前記波形等化手段から出力される可能性の有る有限の数の信号点の変化パターンをすべて記憶している基準値記憶手段と，前記記憶手段の記憶する信号変化パターンと前記基準値記憶手段の記憶している信号点の変化パターンのなかで一致するものが有るかを判断する比較手段で構成されることを特徴とするデジタル放送受信装置。
【請求項４】
請求項１に記載のデジタル放送受信装置において，前記コンスタレーション評価手段は，信号を連続的に，あるいは，一定間隔毎に記憶する記憶手段と，前記記憶手段に記憶する信号と，１つ前に記憶した信号が一致するかを比較する比較手段と，前記比較手段の比較結果が連続して一致した場合の数をカウントするカウンタと，信号が入力されていないと判断するための第１の基準と，前記カウンタのカウンタ値と前記第１の基準を比較して信号が入力されているか入力されていないかを判断する第１の比較手段と，前記記憶手段に記憶している信号点がどのように分布しているかを度数分布にする度数分布作成手段と，信号が入力されていない場合に信号点が分布する範囲を指定した第２の基準と，前記度数分布作成手段の作成した度数分布と前記第２の基準を比較して，信号が入力されていないかどうかを判定する第２の比較手段と，前記第１の比較手段と前記第２の比較手段の判定結果から，信号が入力されているか入力されていないかを総合的に判断する条件判断手段を備えることを特徴とするデジタル放送受信装置。
【請求項５】
請求項１に記載のデジタル放送受信装置において，前記入力状態評価手段は，前記Ｓ／Ｎ評価手段の評価結果と前記波形等化手段の評価結果と前記コンスタレーション評価手段の評価結果の論理和と取る論理和手段と，前記誤り率評価手段の評価結果と，前記信号レベル検出手段の制御出力と，前記論理和手段の出力の論理積を取る論理積手段から構成されることを特徴とするデジタル放送受信装置。
【請求項６】
請求項１に記載のデジタル放送受信装置において，前記入力状態評価手段は，前記Ｓ／Ｎ評価手段の評価結果と、前記波形等化手段の評価結果と、前記コンスタレーション評価手段の評価結果のいずれかと，前記信号レベル検出手段の出力と，を用いて入力される信号の状態を評価することを特徴とするデジタル放送受信装置。
【請求項７】
請求項１に記載のデジタル放送受信装置において，前記入力状態評価手段は，前記Ｓ／Ｎ評価手段の評価結果と、前記波形等化手段の評価結果と、前記コンスタレーション評価手段の評価結果のいずれかと，前記誤り率評価手段の評価結果と，を用いて入力される信号の状態を評価することを特徴とするデジタル放送受信装置。
【請求項８】
請求項１に記載のデジタル放送受信装置において，前記入力状態評価手段は，上記いずれか複数の手段における検出または評価を含めて入力信号の入力状態をソフトウエアで評価をすることを特徴とするデジタル放送受信装置。
【請求項９】
請求項１に記載のデジタル放送受信装置において，前記出力手段は，デジタル放送受信装置の使用者からの表示要求に応じて，前記評価結果を表示するための要求検出手段，異常が発生したことを検出し自動的に表示して，状態の異常を表示するための異常検出手段の少なくとも一方の手段と，前記要求検出手段，前記異常検出手段の検出した情報に応じて，前記評価結果の表示状態を切換える表示切換手段と，前記表示切換手段によって切換えられた信号を表示する表示手段を備えることを特徴とするデジタル放送受信装置。
【請求項１０】
請求項７に記載のデジタル放送受信装置において，前記表示手段は，本体に付属した蛍光表示管，ＬＥＤ，液晶ディスプレイなどの表示装置，受信した放送の映像と合成してＴＶ画面上に表示するための映像合成装置の少なくとも一手段を備えることを特徴とするデジタル放送受信装置。
【請求項１１】
入力される直交変調されたデジタル放送信号の利得を制御する可変利得ステップと、
前記可変利得ステップにおいて利得を制御された信号を復調する復調ステップと、
を備えてなるデジタル放送受信方法であって、
前記復調ステップにおいて復調された信号の信号レベルを検出する検出ステップと、
前記検出ステップの検出結果を評価する信号レベル評価ステップと、
前記復調ステップにおいて復調された信号のＩ信号とＱ信号の分布を評価するコンスタレーション評価ステップと、
前記信号レベル評価ステップと、前記コンスタレーション評価ステップにおける評価結果に基づいて、入力されたデジタル放送信号の状態を評価し、その評価結果を出力する出力ステップと、
を備えてなることを特徴とするデジタル放送受信方法。
【請求項１２】
入力される直交変調されたデジタル放送信号の利得を制御する可変利得ステップと、
前記可変利得ステップにおいて利得を制御された信号を復調する復調ステップと、
を備えてなるデジタル放送受信方法であって、
前記復調ステップにおいて復調された信号の信号レベルを検出する検出ステップと、
前記検出ステップの検出結果を評価する信号レベル評価ステップと、
前記復調ステップにおいて復調された信号のＩ信号とＱ信号に含まれる伝送路で加えられた歪みを除去する波形等化の制御情報からの入力信号の状態を評価する波形等化評価ステップと、
前記信号レベル評価ステップと、前記波形等化評価ステップにおける評価結果に基づいて、入力されたデジタル放送信号の状態を評価し、その評価結果を出力する出力ステップと、
を備えてなることを特徴とするデジタル放送受信方法。
【請求項１３】
入力される直交変調されたデジタル放送信号の利得を制御する可変利得ステップと、
前記可変利得ステップにおいて利得を制御された信号を復調する復調ステップと、
を備えてなるデジタル放送受信方法であって、
前記復調ステップにおいて復調された信号の信号レベルを検出する検出ステップと、
前記検出ステップの検出結果を評価する信号レベル評価ステップと、
前記復調ステップにおいて復調された信号をデジタルデータとして識別し、識別前と識別後の信号の差から信号対雑音比を評価するＳ／Ｎ評価ステップと、
前記信号レベル評価ステップと、前記Ｓ／Ｎ評価ステップにおける評価結果に基づいて、入力されたデジタル放送信号の状態を評価し、その評価結果を出力する出力ステップと、
を備えてなることを特徴とするデジタル放送受信方法。
【請求項１４】
前記復調ステップにおいて復調された信号の誤り率評価ステップを備え、
前記出力ステップは、前記誤り率評価ステップの評価結果にも基づいて、入力されたデジタル放送信号の状態を評価することを特徴とする請求項１１ないし１３のいずれかに記載のデジタル放送受信方法。
【請求項１５】
請求項１１に記載のデジタル放送受信方法において，前記波形等化評価ステップの処理は，前記波形等化の制御情報の内センタータップのタップ係数値が一定の範囲内にあるかどうかを判定するステップと，前記波形等化の制御情報の内すべてのタップ係数の総和が一定の範囲内に有るかを判定するステップと，前記波形等化の制御情報の内センタータップ以外のタップのタップ係数の総和と，センタータップの比が一定の範囲内にあるかどうかを判定するステップと，信号がないことを出力するステップと，信号が有ることを出力するステップを含む事を特徴とするデジタル放送受信方法。
【請求項１６】
請求項１１に記載のデジタル放送受信方法において，前記コンスタレーション評価ステップは，前記Ｉ信号とＱ信号を取り込むデータ取り込みステップと，前記データ取り込みステップで取り込んだデータが連続して同じ値となる数をカウントして一定数以上連続しているかどうかを判定するステップと，前記データ取り込みステップで取り込んだデータの度数分布を作成する度数分布作成ステップと，前記度数分布作成ステップで作成した度数分布から，データの存在する範囲が一定の範囲内に限られているかを判定するステップと，信号が無いことを出力するステップと，信号が有ることを出力するステップを含むことを特徴とするデジタル放送受信方法。
【手続補正３】
【補正対象書類名】明細書
【補正対象項目名】０００１
【補正方法】変更
【補正の内容】
【０００１】
【発明の属する技術分野】本発明は，デジタル放送受信機における直交変調波復調に関する。
【手続補正４】
【補正対象書類名】明細書
【補正対象項目名】００２７
【補正方法】削除
【補正の内容】
【手続補正５】
【補正対象書類名】明細書
【補正対象項目名】００２９
【補正方法】変更
【補正の内容】
【００２９】
論理積手段５０２は，信号レベル検出手段１０７の出力が無信号出力を許可し，かつ，誤り率評価手段１１１の評価結果が訂正不可能の場合、かつ，論理和手段５０１が無信号を出力している場合に無信号であると判断する。それ以外の場合は，信号があると判断する。


【手続補正６】
【補正対象書類名】明細書
【補正対象項目名】００３１
【補正方法】変更
【補正の内容】
【００３１】
図６は本発明の他の実施の形態を示す図である。図１と同一符号は同一機能を示し、６０１は評価手段である。


【手続補正７】
【補正対象書類名】明細書
【補正対象項目名】００３４
【補正方法】変更
【補正の内容】
【００３４】
図７は，図１または図６の評価結果表示手段１１３の構成例を示す図である。７０１は要求検出手段，７０２は異常検出手段，７０３は表示切換手段，７０４は表示手段である。


【手続補正８】
【補正対象書類名】明細書
【補正対象項目名】００４２
【補正方法】変更
【補正の内容】
【００４２】
ステップ９０２は，ステップ９０１で計算した誤り率から，誤り訂正が不可能であったか，可能であったかを判断し，訂正不可能だった場合には，ステップ９０３へ進み，訂正可能だった場合には，ステップ９１１へ進む。


【手続補正９】
【補正対象書類名】図面
【補正対象項目名】図５
【補正方法】変更
【補正の内容】
【図５】
1999234359.tif 000001
【手続補正１０】
【補正対象書類名】図面
【補正対象項目名】図６
【補正方法】変更
【補正の内容】
【図６】
1999234359.tif 000002